(57)【要約】【課題】  保湿成分を徐々に染み出すことができて、しかも取扱いも簡便であり、使用後に廃棄しても公害とならない使い捨て保湿袋を提供することにある。【解決手段】  水透過性材質から成る袋体５の内部に、少なくとも保湿成分１と増粘性保湿成分２と吸水膨潤性高分子物質３と増量剤４とを収納しており、保湿成分１は、水と反応して一部は液状保湿成分１１となり、吸水膨潤性高分子物質３はデンプン系吸水膨潤性高分子物質３Ａとアクリル酸塩系吸水膨潤性高分子物質３Ｂの少なくとも一方であり、水と反応して膨潤ゲル化物１３と成り、ゲル化時に少なくとも保湿成分１を取り込み、取り込んだ保湿成分１を徐々に袋体５の外へ滲み出るようにしている。【選択図】        図１
2005187386.tif 000002
【特許請求の範囲】
【請求項１】
水透過性材質から成る袋体（５）の内部に、少なくとも保湿成分（１）と増粘性保湿成分（２）と吸水膨潤性高分子物質（３）とを収納していることを特徴とする使い捨て保湿袋。
【請求項２】
袋体（５）の中に、増量剤（４）としてデンプン、デキストリン、ブドウ糖、乳糖等から選ばれる１種乃至は２種以上を備えていることを特徴とする請求項１記載の使い捨て保湿袋。
【請求項３】
保湿成分（１）は、植物エキス末系、植物抽出エキス系、トレハロース等の粉体物から選ばれる１種乃至は２種以上であり、水と反応して一部は液状保湿成分（１１）となることを特徴とする請求項１又は２記載の使い捨て保湿袋。
【請求項４】
増粘性保湿成分（２）として、ポリアクリル酸ナトリウムとアルギン酸ナトリウムの少なくとも一方を用いていることを特徴とする請求項１，２又は３記載の使い捨て保湿袋。
【請求項５】
吸水膨潤性高分子物質（３）は、デンプン系とアクリル酸塩系との少なくとも一方であり、水と反応して膨潤ゲル化物（１３）と成り、ゲル化時に少なくとも保湿成分（１）を取り込み、取り込んだ保湿成分（１）を徐々に袋体（５）の外へ滲み出るようにしていることを特徴とする請求項１，２，３または４記載の使い捨て保湿袋。
【請求項６】
デンプン系吸水膨潤性高分子物質（３Ａ）は、デンプンにアクリル酸及び微量のメチレンビスアクリルアミドをグラフト重合した後、水酸化ナトリウムで部分中和したものであり、アクリル酸塩系吸水膨潤性高分子物質（３Ｂ）は、アクリル酸及びアクリル酸ナトリウムを重合させて得られる部分架橋型の共重合体であることを特徴とする請求項５記載の使い捨て保湿袋。
【請求項７】
吸水膨潤性高分子物質（３）の中心粒度が２０μｍ以上であることを特徴とする請求項５または６記載の使い捨て保湿袋。
【発明の詳細な説明】
【技術分野】
【０００１】
この発明は、皮膚、特に乾燥肌に潤いやしっとり感を与える使い捨て保湿袋に関する。
【背景技術】
【０００２】
食生活の変化、冷暖房の普及等から、乾燥肌が増えている。特に湿度が低くなる冬期間に乾燥肌になる人々が増えていす。この乾燥肌に対する対策として、食生活の改善、暖房時における加湿器の使用、肌を保護する化粧品の使用がある。
乾燥肌用の化粧品として、化粧水（乳液、スキンローション）、クリーム（クレンジングクリーム、ハンドクリーム、ファンデーションクリーム、リップクリーム）、バスオイル等が知られている。
【０００３】
この改善策として、非水溶性の通水性袋内に、固体状の化粧料有効成分と、吸水性高分子粉末と、ポリエチレングリコール粉末とを配合し、使用時に吸水させ、吸水により袋内が均一なゲル様物質を呈するものが提案されている。この商品にあっては、ゲル様物質が弾力性を有するので、袋を皮膚に接触させてマッサージ等も可能である。
【特許文献１】特開２００２−４７１３４号公報
【発明の開示】
【発明が解決しようとする課題】
【０００４】
従来乾燥肌用化粧品の内、液状化粧品にあっては、容器から液体の一部を手の平に注ぎ出し、これを両手に分散し、肌に素早く塗り付け、クリーム状化粧品にあっては、容器内のクリームを手指で取出し、これを両手に分散し、肌に塗る付けていたので、取出し量が多すぎたり少なすぎたりする問題点があった。
また、何れの化粧品も、容器から取出して使用するものであるから、使用毎にキャップの着脱操作を必要とするし、容器開口時における酸化、変色等を防止するために、酸化、変色防止剤等を混入すると、それらによって肌荒れを生じる問題点もあった。
【０００５】
保湿成分のみを溶かし、皮膚に塗布することも可能であるが、短時間に塗布する必要があったり、塗布動作が限られる等の問題点があった。
そこでこの発明は、従来技術の有するこのような問題点に鑑みてなされたものであり、その目的とするところは、保湿成分を徐々に染み出すことができて、しかも取扱いも簡便であり、使用後に廃棄しても公害とならない使い捨て保湿袋を提供することにある。
【課題を解決するための手段】
【０００６】
上記目的を達成するために、本発明による使い捨て保湿袋は、請求項１として、水透過性材質から成る袋体の中に、少なくとも保湿成分と増粘性保湿成分と吸水膨潤性高分子物質を収納している。
請求項２は、請求項１の使い捨て保湿袋において、袋体の中に、増量剤としてデンプン、デキストリン、ブドウ糖、乳糖等から選ばれる１種乃至は２種以上を備えている。
請求項３は、請求項１，２の使い捨て保湿袋において、保湿成分は、植物エキス末系、植物抽出エキス系、トレハロース等の粉体物から選ばれる１種乃至は２種以上であり、水と反応して一部は液状保湿成分となる。
【０００７】
請求項４は、請求項１，２，３の使い捨て保湿袋において、増粘性保湿成分として、ポリアクリル酸ナトリウムとアルギン酸ナトリウムの少なくとも一方を用いている。
請求項５は、請求項１，２，３，４の使い捨て保湿袋において、吸水膨潤性高分子物質は、デンプン系とアクリル酸塩系との少なくとも一方であり、水と反応して膨潤ゲル化物と成り、ゲル化時に少なくとも保湿成分を取り込み、取り込んだ保湿成分を徐々に袋体の外へ滲み出るようにしている。
請求項６は、請求項５の使い捨て保湿袋において、デンプン系吸水膨潤性高分子物質は、デンプンにアクリル酸及び微量のメチレンビスアクリルアミドをグラフト重合した後、水酸化ナトリウムで部分中和したものであり、またアクリル酸塩系吸水膨潤性高分子物質は、アクリル酸及びアクリル酸ナトリウムを重合させて得られる部分架橋型の共重合体である。
請求項７の使い捨て保湿袋は、請求項５，６の使い捨て保湿袋において、吸水膨潤性高分子物質の中心粒度が２０μｍ以上である。
【０００８】
ここで保湿成分とは、皮膚（人肌）に適度の潤いや湿りを与え、乾燥肌を防ぐ成分であれば自由であるが、特に公害を生じないものが好ましく、例えば、精油系保湿成分として、ラベンダー油等を用い、植物抽出エキス系保湿成分として、カミツレエキス、ショウブエキス、センキュウエキス、海藻エキス等を用い、植物エキス末系保湿成分として、シャクヤク末、アロエ末等を用い、オイル成分系保湿成分として、ミネラルオイル、オリーブ油、オレンジ油、ヤシ油、アボガド油等を用い、その他、ヒアルロン酸ナトリウム、トレハロース、セラミド２、グリシン、Ｌ−セリン、グルタミン酸ナトリウム、水溶性コラーゲンを用いる。
ここで増粘性保湿成分とは、質感を向上したり、ねばりを向上する成分であれば自由であるが、ポリアクリル酸ナトリウムとアルギン酸ナトリウム以外成分として、例えば高重合ポリエチレングリコール、カチオン化セルロース等を用いることも可能である。
【０００９】
ここで吸水膨潤性高分子物質とは、水やほとんどの有機溶剤に実質上不溶であり、急性経口毒性や皮膚刺激性、及び眼粘膜刺激性が低く、安全性が高く、低湿度下において、一度吸湿した水を放出する性質があるし、日光下に放置すると離水する性質があり、且つ使用するまで粉状を成し、水と反応してゲル化するものであって、ゲル化物の状態で公害を生じないものが好ましい。また、デンプン系吸水膨潤性高分子物質として、例えばデンプン・アクリル酸グラフト重合体部分ナトリウム塩を、アクリル酸塩系吸水膨潤性高分子物質として、例えばアクリル酸重合体部分ナトリウム塩架橋物を用いることも可能である。
ここで増量剤とは、有効成分や皮膚に悪影響を与えず均等に混合し、商品価値を高め、且つ、廃棄時に公害を生じないものが好ましく、例えば澱粉、ぶどう糖、乳糖、デキストリン等を用いる。
ここで袋体とは、粉体やゲル化物の流出を阻害し、水の流出のみを可能にする不織布にて形成し、人手により把持できるもの、好ましくは滑らないように把持し得るものが望ましく、また、廃棄時に公害を生じないものが好ましい。
【発明の効果】
【００１０】
本発明による使い捨て保湿袋は上記構造のとおりであるから、次に記載する効果を奏する。
請求項１の使い捨て保湿袋は、吸水膨潤性高分子物質のゲル化時に保湿成分と増粘性保湿成分との一部を液状保湿成分として取り込むので、皮膚に塗布した時、液状保湿成分は徐々に染み出し、均等な塗布を可能にする。しかもゲル化物が軟らかくて柔軟性に富むので、皮膚への感触（フイット感）が良く、皮膚への塗布物として最適である。また、袋体内の保湿成分等は使用するまで粉体状態にあるから、容量が小さく、保管や輸送に便利である。
請求項２の使い捨て保湿袋は、請求項１の特徴に加えて、増量剤を添加しているので、増量剤の添加分だけ安価に提供し得る。
請求項３、４の使い捨て保湿袋は、請求項１、２の特徴に加えて、保湿成分と増粘性保湿成分の一部は水と反応して液状保湿成分となるので、皮膚への塗布が容易となる。しかも皮膚に潤いや湿りけを容易に与えることができる。
【００１１】
請求項５，６の使い捨て保湿袋は、請求項１，２，３，４の特徴に加えて、吸水膨潤性高分子物質が水と反応してゲル化する際、２００〜１０００倍に膨潤しながら液状保湿成分を取り込む。その結果、ゲル化物に取り込まれた液状保湿成分は、ゲル化物を押圧したりもむことで、徐々に袋体外へ滲み出るようになり、皮膚への塗布が安定する。
請求項７の使い捨て保湿袋は、請求項５，６の特徴に加えて、吸水膨潤性高分子物質の中心粒度が微粒であるから、保湿成分との混合が容易である。
【発明を実施するための最良の形態】
【００１２】
本発明による使い捨て保湿袋の最良の形態を図１〜図４に基づき説明すれば、水透過性材質から成る袋体５の内部に、少なくとも保湿成分１と増粘性保湿成分２と吸水膨潤性高分子物質３と増量剤４とを均等に収容するもので、保湿成分１として、例えばポリエチレングリコール、ヒアルロン酸ナトリウム、トレハロース、アミノ酸、植物エキス末、及び植物抽出エキスと精油とオイル成分の粉体物等から選ばれる１種乃至は２種以上を用い、増粘性保湿成分２として、ポリアクリル酸ナトリウムとアルギン酸ナトリウムの少なくとも一方を用い、吸水膨潤性高分子物質３として、中心粒度が２０μｍ以上の例えばデンプン系とアクリル酸塩系との少なくとも一方を用い、増量剤４として例えばデンプン、デキストリン、ブドウ糖、乳糖等から選ばれる１種乃至は２種以上を用い、使用時に水に浸すと、水と反応して保湿成分１，２の一部が液状保湿成分１１となり、吸水膨潤性高分子物質３がゲル化物１３に膨潤変化し、ゲル化時に液状保湿成分１１等を取り込み、その液状保湿成分１１を袋体５の加圧により徐々に外へ滲み出るようにしている。
【実施例１】
【００１３】
本発明による使い捨て保湿袋の第一実施形態を、最良の形態と相違する点について説明すれば、吸水膨潤性高分子物質３として、中心粒度が２０μｍ以上のデンプン系吸水膨潤性高分子物質３Ａを用いるもので、このデンプン系吸水膨潤性高分子物質３Ａは、デンプンにアクリル酸及び微量のメチレンビスアクリルアミドをグラフト重合した後、水酸化ナトリウムで部分中和したものであり、水と反応して自重の２００〜１０００倍に膨潤ゲル化し、ゲル化物１３と成る。
【実施例２】
【００１４】
本発明による使い捨て保湿袋の第二実施形態を、第一実施形態と相違する点について説明すれば、吸水膨潤性高分子物質３として、中心粒度が２０μｍ以上のアクリル酸塩系吸水膨潤性高分子物質３Ｂを用いるもので、このアクリル酸塩系吸水膨潤性高分子物質３Ｂは、アクリル酸及びアクリル酸ナトリウムを重合させて得られる部分架橋型の共重合体であり、水と反応して自重の２００〜１０００倍に膨潤ゲル化し、ゲル化物１３と成る。
【実施例３】
【００１５】
本発明による使い捨て保湿袋の第三実施形態を、第一及び第二実施形態と相違する点について説明すれば、図２（イ）の如く織布を二つ折にして相対する表袋片５ａと裏袋片５ｂとを設け、重なり合う表裏袋片５ａ，５ｂの両側を一体に固着し、表裏袋片５ａ，５ｂの一方側片５ｃに図５の如く手指挿入部６を取付け、折曲げ部の対抗側に開放口１５を有する袋体５を形成し、開放口１５から内部に粉状の保湿成分１と増粘性保湿成分２と吸水膨潤性高分子物質３と増量剤４とを入れ、図２（ロ）の如く開放口１５を密封し、手で把握し得る大きさに形成する。
このことにより、手指挿入部６を利用して袋体５を把握すれば、安定した状態で皮膚Ｓの隅々まで塗布し得る。
袋体５を形成する織布には、粉体やゲル化物１３の流出を阻害し、液状保湿成分１１の流出を可能にする不織布を用いる。
【００１６】
本発明による使い捨て保湿袋は上記の通り、袋体５内に保湿成分１と増粘性保湿成分２と吸水膨潤性高分子物質３と増量剤４とを収納しているが、使用するまで水分に触れないよう包装（図示せず）しておく必要がある。
本発明の使い捨て保湿袋を使用するには、先ず保湿袋１０を包装袋から取出し、図３（イ）の如く保湿袋１０を水中に入れると、保湿成分１と増粘性保湿成分２との一部は水と反応して液状保湿成分１１となり、吸水膨潤性高分子物質３は水と反応して約１〜２分で図３（ロ）の如くゲル化物１３に膨潤変化し、その際に液状保湿成分１１を取り込む。ゲル化が終了した所で水中から保湿袋１０を取出し、これを把握して図４の如く皮膚Ｓに押圧しながら、或はもみだしながら移動すれば、ゲル化物１３に取り込まれた液状保湿成分１１は少しずつ染み出し、皮膚Ｓに塗布される。
【産業上の利用可能性】
【００１７】
袋体５を構成する表袋片５ａと裏袋片５ｂとの一方側片５ｃを否通水材で形成し、或は袋体５の一方側片５ｃに否通水加工を施しておき、否通水側を把持して皮膚Ｓに押圧し、保湿袋１０から保湿成分１を染み出しても、染み出た保湿成分１によって手指が汚れることが少なくなり、その分、把持と塗布が容易になる。
保湿成分１と増粘性保湿成分２とゲル化物１３の状態で公害を生じない吸水膨潤性高分子物質３と増量剤４と袋体５の内の１つ以上に、使用後に廃棄しても公害とならないものを用いると、環境保全に有益である。
【００１８】
デンプン系吸水膨潤性高分子物質３Ａとして、三洋化成工業株式会社が製造販売する商品名サンフレッシュＳＴ−１００やサンフレッシュＳＴ−１００ＭＰＳを用い、アクリル酸塩系吸水膨潤性高分子物質３Ｂとして、同じ会社が製造販売する商品名サンフレッシュＳＴ−５００ＤやサンフレッシュＳＴ−５００ＭＰＳ、或はサンフレッシュＳＴ−５７３を用いる。
本発明の使い捨て保湿袋は、保湿成分１と増粘性保湿成分２と吸水膨潤性高分子物質３と増量剤４以外に、香料類も用い、且つ助剤として、タルクやシリカ等を用いることもある。
保湿成分１と増粘性保湿成分２と吸水膨潤性高分子物質３と増量剤４と袋体５の内、１つ以上が廃棄時に公害を生じないものを用いると、使用後に廃棄しても、公害になることがなく、自然にやさしい。
【図面の簡単な説明】
【００１９】
【図１】本発明による使い捨て保湿袋の一部切欠斜視図で、（イ）は使用前の状態を示し、（ロ）は使用時の状態を示す。
【図２】使い捨て保湿袋の製造課程を示す一部切欠斜視図で、（イ）は保湿成分等の収納状態を示し、（ロ）は密封状態を示す。
【図３】本発明による水使い捨て保湿袋における反応初期（イ）と反応後期（ロ）の状態を示す要部断面図である。
【図４】水反応した使い捨て保湿袋の使用状態を示す要部断面図である。
【図５】使い捨て保湿袋の使用状態を示す斜視図である。
【符号の説明】
【００２０】
１  保湿成分、１１  液状保湿成分
２  増粘性保湿成分
３  吸水膨潤性高分子物質、１３  ゲル化物
３Ａ  デンプン系吸水膨潤性高分子物質、３Ｂ  アクリル酸塩系吸水膨潤性高分子物質
４  増量剤
５  袋体、１５  開放口
５ａ  表袋片、５ｂ  裏袋片、５ｃ  一方側片
６  手指挿入部
１０  保湿袋
Ｓ  皮膚
【図１】
2005187386.tif 000003
【図２】
2005187386.tif 000004
【図３】
2005187386.tif 000005
【図４】
2005187386.tif 000006
【図５】
2005187386.tif 000007